(57)【特許請求の範囲】
【請求項１】
家具等の荷重支持部に配設した家具移動具と、家具移動具の移動車輪を同時に昇降動作をするように家具移動具間を連結した連結ロッドとよりなり、家具移動具を、家具移動具の本体に昇降可能に配設した移動車輪と、移動車輪の昇降動作を行う昇降動作用の傘歯車を備えた昇降動力伝達機構とより構成するとともに、少なくとも１つの家具移動具に、昇降動作用の傘歯車と噛合する昇降操作用の傘歯車を配設し、昇降操作用の傘歯車を外部から操作できるようにし、さらに、連結ロッドの両端に昇降動作用の傘歯車と噛合する動力伝達用の傘歯車を配設した家具移動装置において、家具移動具の本体の周壁の四隅角部にそれぞれガイドロッド保持筒を形成し、この各ガイドロッド保持筒にガイドロッドを保持するようにし、かつ、移動車輪を取り付けたキャスタープレートの周壁の四隅角部に前記ガイドロッドを挿通するガイドロッド保持筒を形成したことを特徴とする家具移動装置。
【請求項２】
家具移動具を、９０°の間隔を以て３方向に、昇降操作用の傘歯車又は動力伝達用の傘歯車を選択的に配設できるように構成したことを特徴とする請求項１記載の家具移動装置。
【発明の詳細な説明】
【０００１】
【発明の属する技術分野】
本発明は、家具等を軽快に移動することができるようにした家具移動装置に関し、特に、家具等の荷重支持部に昇降可能に配設した移動車輪を、１箇所の操作にて同時に昇降させて、家具を常に水平を保持させながら安全に移動できるようにした家具移動装置に関するものである。
【０００２】
【従来の技術】
従来、家具を簡易に移動させる装置として、家具の台座下部に、摺動抵抗の小なる材質、例えば、合成樹脂製の板状の滑り具を挿入して家具を移動させる装置、あるいは複数の移動車輪を家具の台座下部に組み込み、この移動車輪を１つずつ操作して家具を持ち上げて移動させるようにした装置等が提案されている。
【０００３】
【発明が解決しようとする課題】
ところで、上記従来の家具移動装置において、摺動板を用いる方法では、家具の移動時に重い家具を一旦持ち上げ、下部に台座下部に摺動板を挿入しなければならず、労力を要し、微力な婦女子では家具の持ち上げが行えなず、また、常時家具下部に摺動板を挿入しておくと、地震発生時、家具が移動して危険であるという問題があった。
また、複数の移動車輪を家具の台座下部に組み込む装置では、移動装置毎に操作することが必要で、移動に手数を要するとともに、持ち上げが不均一になり易く、家具が傾斜して危険が増すという問題もあった。
【０００４】
本発明は、従来の家具移動装置の有する問題点を解決し、操作が簡単で、かつ重量のある家具等を、安全に、簡単に移動することができる家具移動装置を提供することを目的とする。
【０００５】
【課題を解決するための手段】
上記目的を達成するため、本発明の家具移動装置は、家具等の荷重支持部に配設した家具移動具と、家具移動具の移動車輪を同時に昇降動作をするように家具移動具間を連結した連結ロッドとよりなり、家具移動具を、家具移動具の本体に昇降可能に配設した移動車輪と、移動車輪の昇降動作を行う昇降動作用の傘歯車を備えた昇降動力伝達機構とより構成するとともに、少なくとも１つの家具移動具に、昇降動作用の傘歯車と噛合する昇降操作用の傘歯車を配設し、昇降操作用の傘歯車を外部から操作できるようにし、さらに、連結ロッドの両端に昇降動作用の傘歯車と噛合する動力伝達用の傘歯車を配設した家具移動装置において、家具移動具の本体の周壁の四隅角部にそれぞれガイドロッド保持筒を形成し、この各ガイドロッド保持筒にガイドロッドを保持するようにし、かつ、移動車輪を取り付けたキャスタープレートの周壁の四隅角部に前記ガイドロッドを挿通するガイドロッド保持筒を形成したことを特徴とする。
【０００６】
この家具移動装置は、家具等の荷重支持部に配設した家具移動具と、家具移動具の移動車輪を同時に昇降動作をするように家具移動具間を連結した連結ロッドとよりなり、家具移動具を、家具移動具の本体に昇降可能に配設した移動車輪と、移動車輪の昇降動作を行う昇降動作用の傘歯車を備えた昇降動力伝達機構とより構成するとともに、少なくとも１つの家具移動具に、昇降動作用の傘歯車と噛合する昇降操作用の傘歯車を配設し、昇降操作用の傘歯車を外部から操作できるようにし、さらに、連結ロッドの両端に昇降動作用の傘歯車と噛合する動力伝達用の傘歯車を配設した家具移動装置において、家具移動装置において、家具移動具の本体の周壁の四隅角部にそれぞれガイドロッド保持筒を形成し、この各ガイドロッド保持筒にガイドロッドを保持するようにし、かつ、移動車輪を取り付けたキャスタープレートの周壁の四隅角部に前記ガイドロッドを挿通するガイドロッド保持筒を形成することにより、１つの家具移動具を操作することにより、すべての家具移動具の移動車輪を同時に昇降動作させることができる。
【０００７】
この場合において、家具移動具を、９０°の間隔を以て３方向に、昇降操作用の傘歯車又は動力伝達用の傘歯車を選択的に配設できるように構成することができる。
【０００８】
これにより、１種類の家具移動具で以て、家具移動装置を構成することができ、家具移動装置の製造コストを低廉にすることができる。
【０００９】
【発明の実施の形態】
以下、本発明の家具移動装置の実施の形態を、図面に基づいて説明する。
【００１０】
図１〜図１１は、本発明の家具移動装置の一実施例を示す。
図においてＡは、家具移動具で、図３に示すように、通常、家具Ｆの下部に配設する台座Ｂの荷重支持部、例えば、台座Ｂの四隅に配設され、この左右及び前後方向に隣接する家具移動具Ａ，Ａ間を連結ロッドＬにて連結し、いずれか１つの家具移動具Ａを操作することにより、すべての家具移動具Ａが、同時に昇降動作をするように構成されている。
【００１１】
なお、本実施例では、台座Ｂの四隅に家具移動具Ａを配設するようにしているが、家具Ｆの重量が大きい場合等には、必要に応じて、例えば、台座Ｂの四隅と中央部２箇所の計６箇所又はそれ以上の箇所に家具移動具Ａを配設することができ、この家具移動具Ａの配設箇所は、本実施例のものに限定されるものではない。
【００１２】
この家具移動具Ａは、図１〜図３に示すように、家具Ｆの下部に配設する台座Ｂに当接させる基台１と、基台１にビス止めにて固定して一体とする本体２と、この本体２の下面に沿わせて昇降移動を可能とし、かつ下部に移動車輪としてのキャスター４を取り付けたキャスタープレート３と、本体２内に配設した移動車輪の昇降動作を行う昇降動作用の傘歯車５と、昇降操作用の傘歯車及び／又は動力伝達用の傘歯車６と、キャスタープレート３に固定したねじ桿螺合体７と、ガイドロッド８と、傘歯車５と共に回動する昇降用ねじ桿９とから構成し、基台１、本体２、キャスタープレート３は、その厚さを異にするが、大きさは同じとして、互いに重ねて一体としたときに１つのブロックとなるようにする。
【００１３】
基台１は、図４に示すように、家具Ｆの台座Ｂにビス止めにて家具移動具Ａを取り付けたとき、内天面のほぼ中央部に昇降動作用の傘歯車５のボス部を嵌合して回動可能に保持する傘歯車保持穴１１を形成するとともに、本体２をビス止めにて一体に固定する複数の固定用ビス孔１２と、台座Ｂ側にビスにて取り付けるための取付用ビス孔１３とを穿設して構成する。
【００１４】
本体２は、図５に示すように、内部に移動車輪の昇降動作を行う昇降動作用の傘歯車５と、昇降操作用の傘歯車及び／又は動力伝達用の傘歯車６を内蔵できる大きさを有する天面と下面とが開放された箱型とし、その周壁２０の四隅角部にそれぞれガイドロッド保持筒２１を形成し、この各ガイドロッド保持筒２１にはガイドロッド嵌挿孔２２を縦方向に形成するとともに、厚い側の周壁のほぼ中央位置には、傘歯車６に一体に形成した円柱状のボス部を回動可能に支持するための傘歯車支持孔２５を穿設し、さらに、周壁には、基台１の固定用ビス孔１２及び取付用ビス孔１３に対応する位置に、固定用ビス孔２６及び取付用ビス孔２３を穿設して構成する。
【００１５】
本実施例において、傘歯車支持孔２５は、本体２に、９０°の間隔を以て３方向に形成するようにし、昇降操作用の傘歯車又は動力伝達用の傘歯車を選択的に配設できるように構成する。
これにより、１種類の本体２を、家具移動装置のすべての家具移動具Ａで共用することができ、家具移動装置の製造コストを低廉にすることができる。
【００１６】
この場合、家具移動装置の少なくとも１つの家具移動具Ａに、昇降動作用の傘歯車５と噛合する昇降操作用の傘歯車を、昇降操作用の傘歯車を外部から操作できるように配設し、さらに、各家具移動具Ａには、その配設位置に応じて、１個又は２個の動力伝達用の傘歯車を配設するようにする。
すなわち、隣接する家具移動具Ａ，Ａが、連結ロッドＬを介して互いに連結されて連動するように、動力伝達用の傘歯車は、例えば、図１（Ｂ）に示すように、終端位置に設置される左端の２つの家具移動具Ａには、１つの動力伝達用の傘歯車６を配設し、中間に設置される家具移動具Ａには、２つの動力伝達用の傘歯車６を、９０°の間隔を以て配設するようにする。
また、昇降操作用の傘歯車は、この傘歯車を台座Ｂの外部から操作できるように、例えば、図１（Ｂ）に示すように、左端手前の１つの家具移動具Ａに配設し、台座Ｂには、この昇降操作用の傘歯車６のロッド嵌挿穴６１にレンチ等の任意の操作具を嵌合して操作できるように、レンチ差込孔Ｈを形成するようにする。  なお、昇降操作用の傘歯車は、ほかの家具移動具Ａに配設するようにしたり、複数の家具移動具Ａに配設するようにすることもできる。
【００１７】
キャスタープレート３は、図６に示すように、本体２と同様、周壁３０の四隅角部にガイドロッド保持筒３１を形成し、この各ガイドロッド保持筒３１にはガイドロッド嵌挿孔３２を縦方向にそれぞれ形成するとともに、基台１の取付用ビス孔１３に対応する位置に取付用ビス孔３３と、さらに、キャスター取付用ビス孔３４を穿設して構成する。
また、キャスタープレート３には、キャスター４を取り付ける側と反対側の面に、ねじ桿螺合体７を取付ねじ１０にて固定するようにする。
【００１８】
キャスター４は、家具移動装置の用途に応じて、特に限定されるものではないが、図７に示すように、走行方向を自由に変更できるようにしたものを用いることが望ましい。
このキャスター４は、キャスタープレート３にビス止めにて固定できるように、キャスタープレート３のキャスター取付用ビス孔３４に対応する位置に複数のビス孔４１Ｈを穿設した取付板４１に、ベアリング（図示省略）を介して旋回可能とした軸（図示省略）に、キャスターフレーム４２を取り付け、このキャスターフレーム４２に軸４４を介して車輪４３を取り付けて構成するようにしている。
【００１９】
昇降動力伝達機構を構成する昇降動作用の傘歯車５は、図８に示すように、傘状の円錐面に所要の歯５３を刻設し、歯５３を有する面の中央部に、六角形、四角形など、回転動力を伝達可能なように多角形をした昇降用ねじ桿９の多角形頭部９１を嵌合する係止穴５１と、この係止穴５１より少し大径のくぼみ５２とを同心的に形成し、また、歯５３を有する面と反対側の面の中央部にはボス部５４を突設して構成する。
このボス部５４は、短い円柱状とし、基台１に形成した傘歯車保持穴１１に嵌合して保持されつつ、傘歯車５が自由に回転できるようにする。
【００２０】
また、昇降動作用の傘歯車５と噛合する傘歯車５より小径の昇降操作用の傘歯車又は動力伝達用の傘歯車として使用される傘歯車６は、図９に示ように、傘歯車５と同様、傘状の円錐面に所要の歯６３を刻設し、この歯６３を有する面と反対側中央部には円柱状のボス部６４を突設し、かつこの円柱状のボス部内に、その軸心に沿って四角形、六角形などの多角形状のロッド嵌挿穴６１を形成して、ロッド嵌挿穴６１に嵌合するレンチ等の任意の操作具又は連結ロッドＬを傘歯車６と一体として回転されるように構成する。
このように、傘歯車５，６を採用することにより、部品の共通化を図ることができる。
【００２１】
ねじ桿螺合体７は、図１０に示すように、縦方向に貫通するねじ孔７１を形成し、その両端部にキャスタープレート３にビス止めできるようにビス孔７３を穿設し、さらに、ねじ桿螺合体７の上面には傘歯車５に形成したくぼみ５２内に嵌合して傘歯車５を上方の基台１と下方のねじ桿螺合体の７との間で回転可能にして支持できるように、円筒状のボス部７４を一体に形成して構成する。
なお、このボス部７４にも、ねじ孔７１がねじ桿螺合体７の本体と連続して形成されている。
そして、ねじ桿螺合体７のねじ孔７１は、家具移動具Ａの配設箇所によって、右ねじと左ねじのものを、具体的には、連結ロッドＬにて連結される隣接する家具移動具Ａ，Ａ間でねじの方向が異なるように、交互にねじの方向を変えたものを使用するようにする。
【００２２】
ガイドロッド８は、図１に示すように、円柱状で、基端側の外周面にその長手方向に沿ってローレット８１を形成し、これによりガイドロッド８を本体２のガイドロッド嵌挿孔２２内に強く嵌入することによってローレット８１の一部が、ガイドロッド嵌挿孔２の内周面に食い込むようになってガイドロッド８の抜け止め作用をして固定されるものである。
そして、ガイドロッド８のローレット８１を刻設していない部分を、キャスタープレート３のガイドロッド嵌挿孔３２に嵌挿することにより、キャスタープレート３をガイドロッド８の長手方向に沿って移動できるようにする。
この許容される移動距離は、家具Ｆの台座Ｂが床面に設置された状態から浮上、例えば、数ｍｍ〜１０ｍｍ程度浮上させてキャスター４にて走行可能となるようにして定める。
【００２３】
昇降用ねじ桿９は、図１に示すように、通常の多角形頭部９１を有するボルトを利用することができ、ねじ部９２のねじ方向は、ねじ桿螺合体７に合わせて、家具移動具Ａの配設箇所によって、右ねじと左ねじのものを、具体的には、連結ロッドＬにて連結される隣接する家具移動具Ａ，Ａ間でねじの方向が異なるように、交互にねじの方向を変えたものを使用するようにする。
【００２４】
連結ロッドＬは、傘歯車６のボス部に形成した多角形状のロッド嵌挿穴６１に嵌合されて、共に回転駆動される断面構造を有し、かつ隣接して台座Ｂに固定される家具移動具Ａ，Ａ間を連結するに十分な長さを有するように構成する。
【００２５】
次に、この家具移動装置の動作について説明する。
家具の台座Ｂの下面の荷重支持部に、家具移動具Ａをそれぞれビス止めにて取り付けるとともに、隣接する家具移動具Ａ，Ａに対向するように配設した動力伝達用の傘歯車６，６のロッド嵌挿穴６１に連結ロッドＬを嵌合して互いに連結する。
また、図１（Ｂ）に示すように、左端手前の１つの家具移動具Ａに昇降操作用の傘歯車６を配設し、この傘歯車を台座Ｂのレンチ差込孔Ｈを介して、レンチ等の任意の操作具を用いて、外部から回動操作できるようにする。
【００２６】
そして、台座Ｂのレンチ差込孔Ｈに、レンチ等の任意の操作具（図示せず）を差し込み、昇降操作用の傘歯車６を回動すると、この傘歯車６を介して、これに噛合されている傘歯車５が回動し、これにより、動力伝達用の傘歯車６、連結ロッドＬ、動力伝達用の傘歯車６を介して、隣接する家具移動具Ａの傘歯車５を順次回動することができる。
【００２７】
このようにして、すべての家具移動具Ａの傘歯車５を、同時に所定の方向に回動して、キャスター４を上昇あるいは下降させて、家具Ｆを水平を保持しつつ昇降させることができる。
この場合、図２（Ｄ）及び図３（Ｃ）に示すように、キャスター４を下降させ、キャスター４が床面に当接することにより、家具Ｆを持ち上げることができ、この状態での家具Ｆの移動を容易に行うことができる。
また、家具Ｆを床面に設置する場合は、反対方向に昇降操作用の傘歯車６を回動操作することにより、図２（Ａ）〜（Ｃ）及び図３（Ａ）〜（Ｂ）に示すように、キャスター４を上昇させ、キャスター４が床面から離れるようにする。
【００２８】
なお、上記実施例は、本発明の家具移動装置を家具Ｆに適用した場合について説明したが、本発明の家具移動装置の適用対象はこれに限定されず（「家具移動装置」の名称に拘束されるものではなく）、床面に設置した機械等の重量物を移動、設置する場合等にも適用することができる。
【００２９】
【発明の効果】
本発明の家具移動装置によれば、家具等の荷重支持部に配設した家具移動具と、家具移動具の移動車輪を同時に昇降動作をするように家具移動具間を連結した連結ロッドとよりなり、家具移動具を、家具移動具の本体に昇降可能に配設した移動車輪と、移動車輪の昇降動作を行う昇降動作用の傘歯車を備えた昇降動力伝達機構とより構成するとともに、少なくとも１つの家具移動具に、昇降動作用の傘歯車と噛合する昇降操作用の傘歯車を配設し、昇降操作用の傘歯車を外部から操作できるようにし、さらに、連結ロッドの両端に昇降動作用の傘歯車と噛合する動力伝達用の傘歯車を配設した家具移動装置において、家具移動装置において、家具移動具の本体の周壁の四隅角部にそれぞれガイドロッド保持筒を形成し、この各ガイドロッド保持筒にガイドロッドを保持するようにし、かつ、移動車輪を取り付けたキャスタープレートの周壁の四隅角部に前記ガイドロッドを挿通するガイドロッド保持筒を形成することにより、１つの家具移動具を操作することにより、すべての家具移動具の移動車輪を同時に昇降動作させることができ、これにより家具を常に水平を保持しつつ昇降して安全に移動することができるとともに、移動車輪の昇降動作の操作を簡単に行うことができる。
【００３０】
また、家具移動具を、９０°の間隔を以て３方向に、昇降操作用の傘歯車又は動力伝達用の傘歯車を選択的に配設できるように構成することにより、１種類の家具移動具で以て、家具移動装置を構成することができ、家具移動装置の製造コストを低廉にすることができる。
【図面の簡単な説明】
【図１】  本発明の家具移動装置の一実施例を示す断面図である。
【図２】  家具移動具の外観を示し、（Ａ）は正面図、（Ｂ）は底面図、（Ｃ）は側面図、（Ｄ）は動作時の側面図である。
【図３】  本発明の家具移動装置を家具に取り付けた状態を示し、（Ａ）は正面図、（Ｂ）は底面図、（Ｃ）は動作時の正面図である。
【図４】  基台を示し、（Ａ）は平面図、（Ｂ）は側面図、（Ｃ）は底面図である。
【図５】  本体を示し、（Ａ）は平面図、（Ｂ）は側面図、（Ｃ）は底面図である。
【図６】  キャスタープレートを示し、（Ａ）は平面図、（Ｂ）は側面図である。
【図７】  キャスターを示し、（Ａ）は正面図、（Ｂ）は側面図、（Ｃ）は底面図、（Ｄ）は平面図である。
【図８】  傘歯車を示し、（Ａ）は正面図、（Ｂ）は側面図である。
【図９】  小径の傘歯車を示し、（Ａ）は正面図、（Ｂ）は側面図である。
【図１０】  ねじ桿螺合体を示し、（Ａ）は平面図、（Ｂ）は正面図である。
【符号の説明】
Ａ    家具移動具
Ｂ    台座
Ｆ    家具
Ｌ    連結ロッド
１    基台
２    本体
３    キャスタープレート
４    キャスター
５    傘歯車（昇降動作用）
６    傘歯車（昇降操作用又は動力伝達用）
７    ねじ桿螺合体
８    ガイドロッド
９    昇降用ねじ桿
１０  取付ボルト
【図１】
0003707971.tif 000002
【図２】
0003707971.tif 000003
【図３】
0003707971.tif 000004
【図４】
0003707971.tif 000005
【図５】
0003707971.tif 000006
【図６】
0003707971.tif 000007
【図７】
0003707971.tif 000008
【図８】
0003707971.tif 000009
【図９】
0003707971.tif 000010
【図１０】
0003707971.tif 000011